【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
光学導波管構造を作製する方法であって、前記方法は、導波管のための反射性光学要素を形成することを含み、
前記反射性光学要素を形成することは、
突出部のパターンを前記導波管の第１の表面上に提供することと、
前記突出部の表面上に反射性インク層を形成するために反射性インクを堆積させることと
を含み、
前記反射性光学要素の反射率は、前記突出部のパターンによって占められるエリアにわたって変動する、方法。
【請求項２】
前記反射性インクは、前記導波管の前記第１の表面の所定の領域上に選択的に堆積させられる、請求項１に記載の方法。
【請求項３】
前記第１の表面は、垂直に延びている壁を備え、前記壁は、前記所定の領域の少なくとも一部を画定し、前記反射性インクは、前記所定の領域の上に選択的に堆積させられ、前記壁は、前記反射性インクの側方移動を制限する、請求項２に記載の方法。
【請求項４】
前記堆積させることは、前記反射性インクをインクジェット、マイクロディスペンサ、またはアプリケータロッドから投与することを含む、請求項２に記載の方法。
【請求項５】
前記反射性インクを追加の光学導波管の表面上の突出部のパターン上に堆積させることによって、追加の反射性光学要素を前記追加の導波管上に形成することであって、前記追加の反射性光学要素は、入射電磁放射を反射するように構成されている、ことと、
少なくとも前記追加の導波管を前記導波管の表面に取り付けることと、
それによって、導波管のスタックを生成することと
をさらに含む、請求項１に記載の方法。
【請求項６】
前記反射性インクは、無粒子インクを含む、請求項１に記載の方法。
【請求項７】
前記反射性インクは、アルミニウム、銀、またはそれらの組み合わせを含む、請求項１に記載の方法。
【請求項８】
前記反射性インクは、結合剤をさらに含み、前記結合剤は、前記反射性光学要素内に存在する、請求項１に記載の方法。
【請求項９】
前記反射性光学要素は、表面蓄積をさらに備えている、請求項１に記載の方法。
【請求項１０】
前記第１の表面の突出部は、フォトレジストを備えている、請求項１に記載の方法。
【請求項１１】
前記壁は、前記導波管と上層の追加の導波管との間の空間を維持するように構成された機械的スペーサを備えている、請求項１０に記載の方法。
【請求項１２】
前記第１の表面の突出部は、格子の一部であり、前記反射性インクの少なくとも一部は、前記格子上に非形状適応的に配置され、前記反射性インクと前記第１の表面との間の界面は、間隙を実質的に有しない、請求項１に記載の方法。
【請求項１３】
前記反射性光学要素は、回折光学要素であり、前記回折光学要素は、入射光が全内部反射によって前記導波管を通って伝搬するような角度で前記入射光を向け直すように構成されている、請求項１に記載の方法。
【請求項１４】
前記反射性光学要素は、少なくとも６０％の反射率で入射電磁放射を反射するように構成されている、請求項１に記載の方法。
【請求項１５】
前記反射性光学要素は、電磁放射を前記第１の導波管の中に反射するように構成された光内部結合光学要素または光分配要素の一部である、請求項１に記載の方法。
【請求項１６】
ディスプレイデバイスを作製する方法であって、前記方法は、
反射性インクの反射性層を光学導波管の第１の表面上に形成することであって、前記第１の表面は、格子を形成する突出部を備え、前記反射性層は、前記第１の表面上に配置され、それによって、反射性光学要素を作製し、前記反射性光学要素の反射率は、前記突出部によって占められるエリアにわたって変動する、ことと、
前記反射性光学要素をディスプレイデバイス内に配置することと
を含む、方法。
【請求項１７】
前記反射性インクの反射性層は、前記第１の表面上に非形状適応的に配置され、前記反射性層と第１の表面との間の界面は、間隙を実質的に有しない、請求項１６に記載の方法。
【請求項１８】
前記反射性層および突出部は、回折光学要素を形成する、請求項１６に記載の方法。
【請求項１９】
光学デバイスであって、前記光学デバイスは、
第１の表面を備えている第１の導波管と、
前記第１の表面上に配置された反射性インクの反射性層と
を備え
前記反射性層は、結合剤を含み、
前記反射性層は、界面において、入射電磁放射を前記第１の導波管の中に反射するように構成されている、光学デバイス。
【請求項２０】
前記反射性層は、分散された金属含有粒子を実質的に有しない、請求項１９に記載の光学デバイス。
【請求項２１】
前記反射性層は、表面蓄積を備えている、請求項１９に記載の光学デバイス。
【請求項２２】
前記第１の表面は、突出部を備え、前記突出部は、前記反射性層とともに、反射性回折格子の一部である、請求項１９に記載の光学デバイス。
【請求項２３】
前記反射性層は、少なくとも６０％の反射率で前記入射電磁放射を反射する、請求項１９に記載の光学デバイス。
【請求項２４】
前記反射性層および突出部は、内部結合光学要素を形成し、前記内部結合光学要素は、入射光が前記第１の導波管を通って伝搬するような角度で前記入射光を向け直すように構成されている、請求項２２に記載の光学デバイス。
【請求項２５】
前記光学導波管構造は、第２の導波管および第３の導波管をさらに備え、前記第２の導波管は、前記第３の導波管と異なる波長の範囲を出力するように構成され、前記第１の導波管は、前記第２および第３の導波管のうちの少なくとも１つと光学連通し、
前記第１、第２、および第３の導波管の各々は、反射性インクの反射性層を備え、前記反射性インクは、突出部を備えている表面上に配置され、それによって、反射性回折格子を形成し、各導波管の前記反射性回折格子は、異なる波長の範囲の光を向け直すように構成されている、請求項１９に記載の光学デバイス。
【請求項２６】
前記第１の表面は、前記反射性層の境界を画定する壁を備え、前記壁は、前記第１の導波管と他の導波管との間の空間を維持するように構成された機械的スペーサを備えている、請求項１９に記載の光学デバイス。
【請求項２７】
前記光学デバイスは、空間光変調器を備えているディスプレイシステムであり、前記空間光変調器は、画像情報を含む光を前記第１の導波管の中に出力するように構成されている、請求項１９に記載の光学デバイス。
【請求項２８】
ディスプレイデバイスであって、前記ディスプレイデバイスは、反射性回折光学要素を備えている導波管を備え、
前記回折光学要素は、
前記導波管の表面上の複数の突出部と、
前記突出部の表面上の反射性層と
を備え、
前記反射性層は、反射性流動可能材料から形成され、前記反射性層の反射率は、前記複数の表面突出部によって占められるエリアにわたって変動する、ディスプレイデバイス。
【請求項２９】
前記反射性回折光学要素は、入射光を前記導波管の中に内部結合するように構成された内部結合格子を形成する、請求項２８に記載のディスプレイデバイス。
【請求項３０】
前記導波管は、導波管のスタックのうちの１つであり、前記導波管のスタックの各々は、内部結合格子を備え、
見下ろすと、内部結合格子は、互いから側方にオフセットされている、請求項２９に記載のディスプレイデバイス。
【請求項３１】
前記流動可能材料は、反射性インクを含む、請求項２８に記載のディスプレイデバイス。
【請求項３２】
前記流動可能材料は、液体金属を含む、請求項２８に記載のディスプレイデバイス。
【請求項３３】
前記液体金属は、ガリウム；インジウム；水銀；ガリウム−インジウム共晶；ガリウム−インジウム合金；ガリウムインジウムスズ合金；Ｇａ、Ｉｎ、Ｓｎ、およびＺｎ合金；Ｇａ、Ｉｎ、およびＳｎ合金；ナトリウム−カリウム合金；ガリウム、インジウム、およびスズ；ガリウム−インジウム−亜鉛−銅金属；および、銀インジウムガリウムから成る群から選択される、請求項３２に記載のディスプレイデバイス。
【請求項３４】
前記反射性層は、前記液体金属の成分の酸化物を含む、請求項３２に記載のディスプレイデバイス。
【請求項３５】
光学デバイスを作製する方法であって、前記方法は、
複数の表面突出部を備えている導波管を提供することと、
反射性層を前記複数の表面突出部上に形成することと
を含み、
前記反射層は、反射性流動可能材料を前記複数の表面突出部上に堆積させることによって形成され、前記反射性層の反射率は、前記複数の表面突出部によって占められるエリアにわたって変動し、前記複数の表面突出部および前記反射性層は、反射性回折光学要素を形成する、方法。
【請求項３６】
空間光変調器を提供することをさらに含み、前記空間光変調器は、光を前記反射性回折光学要素上に出力するように位置付けられている、請求項３５に記載の方法。
【請求項３７】
前記流動可能材料は、反射性インクを含む、請求項３５に記載の方法。
【請求項３８】
前記流動可能材料は、液体金属を含む、請求項３５に記載の方法。
【手続補正２】
【補正対象書類名】明細書
【補正対象項目名】００５３
【補正方法】変更
【補正の内容】
【００５３】
４０．流動可能材料は、液体金属を含む、実施形態３７に記載の方法。
本願明細書は、例えば、以下の項目も提供する。
（項目１）
光学導波管構造を作製する方法であって、前記方法は、導波管のための反射性光学要素を形成することを含み、
前記反射性光学要素を形成することは、
突出部のパターンを前記導波管の第１の表面上に提供することと、
反射性インクを前記突出部の表面上に堆積させることと
を含む、方法。
（項目２）
前記反射性インクは、前記導波管の前記第１の表面の所定の領域上に選択的に堆積させられる、項目１に記載の方法。
（項目３）
前記第１の表面は、垂直に延びている壁を備え、前記壁は、前記所定の領域の少なくとも一部を画定し、前記反射性インクは、前記所定の領域の上に選択的に堆積させられ、前記壁は、前記反射性インクの側方移動を制限する、項目２に記載の方法。
（項目４）
前記堆積させることは、前記反射性インクをインクジェット、マイクロディスペンサ、またはアプリケータロッドから投与することを含む、項目２に記載の方法。
（項目５）
前記反射性インクを追加の光学導波管の表面上の突出部のパターン上に堆積させることによって、追加の反射性光学要素を前記追加の導波管上に形成することであって、前記追加の反射性光学要素は、入射電磁放射を反射するように構成されている、ことと、
少なくとも前記追加の導波管を前記導波管の表面に取り付けることと、
それによって、導波管のスタックを生成することと
をさらに含む、項目１に記載の方法。
（項目６）
前記反射性インクは、無粒子インクを含む、項目１に記載の方法。
（項目７）
前記反射性インクは、アルミニウム、銀、またはそれらの組み合わせを含む、項目１に記載の方法。
（項目８）
前記反射性インクは、結合剤をさらに含み、前記結合剤は、前記反射性光学要素内に存在する、項目１に記載の方法。
（項目９）
前記反射性光学要素は、表面蓄積をさらに備えている、項目１に記載の方法。
（項目１０）
前記第１の表面の突出部は、フォトレジストを備えている、項目１に記載の方法。
（項目１１）
前記壁は、前記導波管と上層の追加の導波管との間の空間を維持するように構成された機械的スペーサを備えている、項目１０に記載の方法。
（項目１２）
前記第１の表面の突出部は、格子の一部であり、前記反射性インクの少なくとも一部は、前記格子上に非形状適応的に配置され、前記反射性インクと前記第１の表面との間の界面は、間隙を実質的に有しない、項目１に記載の方法。
（項目１３）
前記反射性光学要素は、回折光学要素であり、前記回折光学要素は、入射光が全内部反射によって前記導波管を通って伝搬するような角度で前記入射光を向け直すように構成されている、項目１に記載の方法。
（項目１４）
前記反射性光学要素は、少なくとも６０％の反射率で入射電磁放射を反射するように構成されている、項目１に記載の方法。
（項目１５）
前記反射性光学要素は、電磁放射を前記第１の導波管の中に反射するように構成された光内部結合光学要素または光分配要素の一部である、項目１に記載の方法。
（項目１６）
ディスプレイデバイスを作製する方法であって、前記方法は、
反射性インクの反射性層を光学導波管の第１の表面上に形成することであって、前記第１の表面は、格子を形成する突出部を備え、前記反射性層は、前記第１の表面上に配置され、それによって、反射性光学要素を作製する、ことと、
前記反射性光学要素をディスプレイデバイス内に配置することと
を含む、方法。
（項目１７）
前記反射性インクの反射性層は、前記第１の表面上に非形状適応的に配置され、前記反射性層と第１の表面との間の界面は、間隙を実質的に有しない、項目１６に記載の方法。
（項目１８）
前記反射性層および突出部は、回折光学要素を形成する、項目１６に記載の方法。
（項目１９）
光学デバイスであって、前記光学デバイスは、
第１の表面を備えている第１の導波管と、
前記第１の表面上に配置された反射性インクの反射性層と
を備え
前記反射性層は、結合剤を含み、
前記反射性層は、界面において、入射電磁放射を前記第１の導波管の中に反射するように構成されている、光学デバイス。
（項目２０）
前記反射性層は、分散された金属含有粒子を実質的に有しない、項目１９に記載の光学デバイス。
（項目２１）
前記反射性層は、表面蓄積を備えている、項目１９に記載の光学デバイス。
（項目２２）
前記第１の表面は、突出部を備え、前記突出部は、前記反射性層とともに、反射性回折格子の一部である、項目１９に記載の光学デバイス。
（項目２３）
前記反射性層は、少なくとも６０％の反射率で前記入射電磁放射を反射する、項目１９に記載の光学デバイス。
（項目２４）
前記反射性層および突出部は、内部結合光学要素を形成し、前記内部結合光学要素は、入射光が前記第１の導波管を通って伝搬するような角度で前記入射光を向け直すように構成されている、項目２２に記載の光学デバイス。
（項目２５）
前記光学導波管構造は、第２の導波管および第３の導波管をさらに備え、前記第２の導波管は、前記第３の導波管と異なる波長の範囲を出力するように構成され、前記第１の導波管は、前記第２および第３の導波管のうちの少なくとも１つと光学連通し、
前記第１、第２、および第３の導波管の各々は、反射性インクの反射性層を備え、前記反射性インクは、突出部を備えている表面上に配置され、それによって、反射性回折格子を形成し、各導波管の前記反射性回折格子は、異なる波長の範囲の光を向け直すように構成されている、項目１９に記載の光学デバイス。
（項目２６）
前記第１の表面は、前記反射性層の境界を画定する壁を備え、前記壁は、前記第１の導波管と他の導波管との間の空間を維持するように構成された機械的スペーサを備えている、項目１９に記載の光学デバイス。
（項目２７）
前記光学デバイスは、空間光変調器を備えているディスプレイシステムであり、前記空間光変調器は、画像情報を含む光を前記第１の導波管の中に出力するように構成されている、項目１９に記載の光学デバイス。
（項目２８）
ディスプレイデバイスであって、前記ディスプレイデバイスは、反射性回折光学要素を備えている導波管を備え、
前記回折光学要素は、
前記導波管の表面上の複数の突出部と、
前記突出部の表面上の反射性層と
を備え、
前記反射性層は、反射性流動可能材料から形成されている、ディスプレイデバイス。
（項目２９）
前記反射性回折光学要素は、入射光を前記導波管の中に内部結合するように構成された内部結合格子を形成する、項目２８に記載のディスプレイデバイス。
（項目３０）
前記導波管は、導波管のスタックのうちの１つであり、前記導波管のスタックの各々は、内部結合格子を備え、
見下ろすと、内部結合格子は、互いから側方にオフセットされている、項目２９に記載のディスプレイデバイス。
（項目３１）
前記流動可能材料は、反射性インクを含む、項目２８に記載のディスプレイデバイス。
（項目３２）
前記流動可能材料は、液体金属を含む、項目２８に記載のディスプレイデバイス。
（項目３３）
前記液体金属は、ガリウム；インジウム；水銀；ガリウム−インジウム共晶；ガリウム−インジウム合金；ガリウムインジウムスズ合金；Ｇａ、Ｉｎ、Ｓｎ、およびＺｎ合金；Ｇａ、Ｉｎ、およびＳｎ合金；ナトリウム−カリウム合金；ガリウム、インジウム、およびスズ；ガリウム−インジウム−亜鉛−銅金属；および、銀インジウムガリウムから成る群から選択される、項目３２に記載のディスプレイデバイス。
（項目３４）
前記反射性層は、前記液体金属の成分の酸化物を含む、項目３２に記載のディスプレイデバイス。
（項目３５）
光学デバイスを作製する方法であって、前記方法は、
複数の表面突出部を備えている導波管を提供することと、
反射性流動可能材料を前記表面突出部上に堆積させることによって、反射性層を前記表面突出部上に形成することと
を含み、
前記表面突出部および前記反射性層は、反射性回折光学要素を形成する、方法。
（項目３６）
空間光変調器を提供することをさらに含み、前記空間光変調器は、光を前記反射性回折光学要素上に出力するように位置付けられている、項目３５に記載の方法。
（項目３７）
前記流動可能材料は、反射性インクを含む、項目３５に記載の方法。
（項目３８）
前記流動可能材料は、液体金属を含む、項目３５に記載の方法。